【手続補正書】
【提出日】平成18年6月2日(2006.6.2)
【手続補正１】
【補正対象書類名】明細書
【補正対象項目名】発明の名称
【補正方法】変更
【補正の内容】
【発明の名称】地図表示装置及び地図更新方法、ナビゲーション装置、地図提供装置及び地図提供方法並びに地図更新システム
【手続補正２】
【補正対象書類名】明細書
【補正対象項目名】特許請求の範囲
【補正方法】変更
【補正の内容】
【特許請求の範囲】
【請求項１】
地図の全範囲を所定の大きさでなる複数の領域に分割した地図データを記憶する地図データ記憶手段と、
任意に選定された上記領域を推定利用範囲として設定する推定利用範囲設定手段と、
上記推定利用範囲設定手段によって設定された上記推定利用範囲の更新地図データを取得する更新地図データ取得手段と、
上記更新地図データ取得手段によって取得した更新地図データに対応し上記地図データ記憶手段に記憶されている地図データを更新する地図データ更新手段と、
上記更新した地図データを表示する表示手段と
を具えることを特徴とする地図表示装置。
【請求項２】
上記推定利用範囲設定手段は、予め登録した所定の地点を基準として上記推定利用範囲を設定する
ことを特徴とする請求項１に記載の地図表示装置。
【請求項３】
上記予め登録した所定の地点は、ユーザの自宅位置である
ことを特徴とする請求項２に記載の地図表示装置。
【請求項４】
上記推定利用範囲設定手段は、上記ユーザの自宅位置から利用頻度が高いと推定される範囲を上記推定利用範囲として設定する
ことを特徴とする請求項３に記載の地図表示装置。
【請求項５】
上記地図データ記憶手段は、上記複数の領域の地図データと各地図データにおけるそれぞれの世代を表す世代情報とを記憶する
ことを特徴とする請求項１に記載の地図表示装置。
【請求項６】
上記地図データ記憶手段は、上記更新地図データと更新前の上記地図データとを混在して記憶する
ことを特徴とする請求項１に記載の地図表示装置。
【請求項７】
上記表示手段は、
上記地図データ記憶手段に混在して記憶された上記更新地図データと更新前の上記地図データとを混在して表示する
ことを特徴とする請求項６に記載の地図表示装置。
【請求項８】
地図の全範囲が所定の大きさでなる複数の領域に分割され地図データ記憶手段に記憶されている地図データのうち任意に選定された範囲を推定利用範囲として設定する推定利用範囲設定ステップと、
上記推定利用範囲設定ステップによって設定された上記推定利用範囲に対応する更新地図データを取得する更新地図データ取得ステップと、
上記更新地図データ取得ステップによって取得した更新地図データにより、上記地図データ記憶手段に記憶されている上記地図データを更新する地図データ更新ステップと
を具えることを特徴とする地図更新方法。
【請求項９】
地図の全範囲を所定の大きさでなる複数の領域に分割した地図データを記憶する地図データ記憶手段と、
所定の地点を基準地点とし当該基準地点を表す情報を所定の地図データ提供者へ送信する基準地点データ送信手段と、
上記地図データ提供者により上記基準地点を基に選択された領域でなる推定利用範囲に対応する更新地図データを当該地図データ提供者から取得する更新地図データ取得手段と、
上記更新地図データ取得手段によって取得した更新地図データに対応し上記地図データ記憶手段に記憶されている上記地図データを更新する地図データ更新手段と、
上記更新した地図データを表示する表示手段と
を具えることを特徴とする地図表示装置。
【請求項１０】
地図の全範囲が所定の大きさでなる複数の領域に分割され地図データ記憶手段に記憶されている地図データ上の所定の地点を基準地点として、当該基準地点を表す情報を所定の地図データ提供者へ送信する基準地点データ送信ステップと、
上記地図データ提供者により上記基準地点を基に選択された領域でなる推定利用範囲の更新地図データを取得する更新地図データ取得ステップと、
上記更新地図データ取得ステップによって取得した上記更新地図データにより、上記地図データ記憶手段に記憶されている上記地図データを更新する地図データ更新ステップと
を具えることを特徴とする地図更新方法。
【請求項１１】
地図の全範囲を所定の大きさでなる複数の領域に分割した地図データを記憶する地図データ記憶手段と、
所定の地点を基準地点とし当該基準地点を表す情報を所定の地図データ提供者へ送信する基準地点データ送信手段と、
上記地図データ提供者により上記基準地点を基に選択された領域でなる推定利用範囲に対応する更新地図データを当該上記地図データ提供者から取得する更新地図データ取得手段と、
上記更新地図データ取得手段によって取得した更新地図データに対応し上記地図データ記憶手段に記憶されている上記地図データを更新する地図データ更新手段と、
所定の測位情報を基に現在位置を測位する測位手段と、
上記更新した地図データのうち上記現在位置を基準とした所定範囲を表示する表示手段と
を具えることを特徴とするナビゲーション装置。
【請求項１２】
最新の地図が所定の大きさでなる複数の領域に分割された最新地図データと当該最新地図データの世代を表す世代情報とを記憶する最新地図データ記憶手段と、
地図データを保有する地図取得装置における地図の推定利用範囲及び当該推定利用範囲における各地図データの上記世代情報を受信する提供要求受信手段と、
上記提供要求受信手段によって受信した上記推定利用範囲及び上記世代情報と上記最新地図データ記憶手段に記憶された最新地図データの世代情報とに基づき、上記推定利用範囲における上記地図取得装置の上記地図データよりも世代が新しい最新地図データのみを上記地図取得装置へ送信する送信手段と
を具えることを特徴とする地図提供装置。
【請求項１３】
上記送信手段は、
上記推定利用範囲における上記最新地図データが上記地図取得装置の上記地図データよりも新しい世代でない場合、上記地図取得装置に対して更新終了の通知を送信する
ことを特徴とする請求項１２に記載の地図提供装置。
【請求項１４】
地図が所定の大きさでなる複数の領域に分割された地図データを保有する地図取得装置における地図の推定利用範囲及び当該推定利用範囲における各地図データの世代を表す世代情報を受信する提供要求受信ステップと、
上記提供要求受信ステップによって受信した上記推定利用範囲及び上記世代情報と最新地図データ記憶手段に記憶されている最新地図データの世代情報とに基づき、上記推定利用範囲における上記地図取得装置の上記地図データよりも世代が新しい最新地図データのみを上記地図取得装置へ送信する送信ステップと
を具えることを特徴とする地図提供方法。
【請求項１５】
地図表示装置と地図提供装置とによって構成される地図更新システムにおいて、
上記地図表示装置は、
地図の全範囲を所定の大きさでなる複数の領域に分割した地図データを記憶する地図データ記憶手段と、
任意に選定された上記領域を推定利用範囲として設定する推定利用範囲設定手段と、
上記推定利用範囲設定手段によって設定された上記推定利用範囲の更新地図データを上記地図提供装置から取得する更新地図データ取得手段と、
上記更新地図データ取得手段によって取得した更新地図データに対応し上記地図データ記憶手段に記憶されている地図データを更新する地図データ更新手段と、
上記更新した地図データを表示する表示手段と
を具え、
上記地図提供装置は、
最新の地図が所定の大きさでなる複数の領域に分割された最新地図データと当該最新地図データの世代を表す世代情報とを記憶する最新地図データ記憶手段と、
上記地図表示装置から上記推定利用範囲及び当該推定利用範囲における各地図データの上記世代情報を受信する提供要求受信手段と、
上記提供要求受信手段によって受信した上記推定利用範囲及び上記世代情報と上記最新地図データ記憶手段に記憶された最新地図データの世代情報とに基づき、上記推定利用範囲における上記地図取得装置の上記地図データよりも世代が新しい最新地図データのみを上記更新地図データとして上記地図表示装置へ送信する送信手段と
を具えることを特徴とする地図更新システム。
【手続補正３】
【補正対象書類名】明細書
【補正対象項目名】０００１
【補正方法】変更
【補正の内容】
【０００１】
【発明の属する技術分野】
本発明は地図表示装置及び地図表示方法、ナビゲーション装置、地図提供装置及び地図提供方法並びに地図更新システムに関し、例えばナビゲーションシステムに適用して好適なものである。
【手続補正４】
【補正対象書類名】明細書
【補正対象項目名】００１２
【補正方法】変更
【補正の内容】
【００１２】
本発明は以上の点を考慮してなされたもので、部分更新する地図データの領域を自動的かつ適切に選択して更新し得る一段と使い勝手の優れた地図表示装置及び地図表示方法、ナビゲーション装置、地図提供装置及び地図提供方法並びに地図更新システムを提案しようとするものである。
【手続補正５】
【補正対象書類名】明細書
【補正対象項目名】００１３
【補正方法】変更
【補正の内容】
【００１３】
【課題を解決するための手段】
かかる課題を解決するため本発明においては、地図の全範囲を所定の大きさでなる複数の領域に分割した地図データを記憶する地図データ記憶手段と、任意に選定された領域を推定利用範囲として設定する推定利用範囲設定手段と、推定利用範囲設定手段によって設定された推定利用範囲の更新地図データを取得する更新地図データ取得手段と、更新地図データ取得手段によって取得した更新地図データに対応し地図データ記憶手段に記憶されている地図データを更新する地図データ更新手段と、更新した地図データを表示する表示手段とを設けることにより、任意に選定された地点を基準とした推定利用範囲における更新地図データを取得して自動的に部分更新することができるので、ユーザに対して部分更新すべき推定利用範囲を選択する手間をかけさせることなく利用頻度の高い範囲だけを自動的に部分更新することができる。
また本発明においては、地図の全範囲が所定の大きさでなる複数の領域に分割され地図データ記憶手段に記憶されている地図データのうち任意に選定された範囲を推定利用範囲として設定する推定利用範囲設定ステップと、推定利用範囲設定ステップによって設定された推定利用範囲に対応する更新地図データを取得する更新地図データ取得ステップと、更新地図データ取得ステップによって取得した更新地図データにより、地図データ記憶手段に記憶されている地図データを更新する地図データ更新ステップとを設けることにより、任意に選定された地点を基準とした推定利用範囲における更新地図データを取得して自動的に部分更新することができるので、ユーザに対して部分更新すべき推定利用範囲を選択する手間をかけさせることなく利用頻度の高い範囲だけを自動的に部分更新することができる。
さらに本発明においては、地図の全範囲を所定の大きさでなる複数の領域に分割した地図データを記憶する地図データ記憶手段と、所定の地点を基準地点とし当該基準地点を表す情報を所定の地図データ提供者へ送信する基準地点データ送信手段と、地図データ提供者により基準地点を基に選択された領域でなる推定利用範囲に対応する更新地図データを当該地図データ提供者から取得する更新地図データ取得手段と、更新地図データ取得手段によって取得した更新地図データに対応し地図データ記憶手段に記憶されている地図データを更新する地図データ更新手段と、更新した地図データを表示する表示手段とを設けることにより、推定利用範囲における更新地図データを地図データ提供者から取得して自動的に部分更新することができるので、ユーザに対して部分更新すべき推定利用範囲を選択する手間をかけさせることなく利用頻度の高い範囲だけを自動的に部分更新することができる。
さらに本発明においては、地図の全範囲が所定の大きさでなる複数の領域に分割され地図データ記憶手段に記憶されている地図データ上の所定の地点を基準地点として、当該基準地点を表す情報を所定の地図データ提供者へ送信する基準地点データ送信ステップと、地図データ提供者により基準地点を基に選択された領域でなる推定利用範囲の更新地図データを取得する更新地図データ取得ステップと、更新地図データ取得ステップによって取得した更新地図データにより、地図データ記憶手段に記憶されている地図データを更新する地図データ更新ステップとを設けることにより、推定利用範囲における更新地図データを地図データ提供者から取得して自動的に部分更新することができるので、ユーザに対して部分更新すべき推定利用範囲を選択する手間をかけさせることなく利用頻度の高い範囲だけを自動的に部分更新することができる。
さらに本発明においては、地図の全範囲を所定の大きさでなる複数の領域に分割した地図データを記憶する地図データ記憶手段と、所定の地点を基準地点とし当該基準地点を表す情報を所定の地図データ提供者へ送信する基準地点データ送信手段と、地図データ提供者により基準地点を基に選択された領域でなる推定利用範囲に対応する更新地図データを当該地図データ提供者から取得する更新地図データ取得手段と、更新地図データ取得手段によって取得した更新地図データに対応し地図データ記憶手段に記憶されている地図データを更新する地図データ更新手段と、所定の測位情報を基に現在位置を測位する測位手段と、更新した地図データのうち現在位置を基準とした所定範囲を表示する表示手段とを設けることにより、推定利用範囲における更新地図データを地図データ提供者から取得して自動的に部分更新することができるので、ユーザに対して部分更新すべき推定利用範囲を選択する手間をかけさせることなく利用頻度の高い範囲だけを自動的に部分更新することができる。
【手続補正６】
【補正対象書類名】明細書
【補正対象項目名】００１４
【補正方法】変更
【補正の内容】
【００１４】
さらに本発明においては、最新の地図が所定の大きさでなる複数の領域に分割された最新地図データと当該最新地図データの世代を表す世代情報とを記憶する最新地図データ記憶手段と、地図データを保有する地図取得装置における地図の推定利用範囲及び当該推定利用範囲における各地図データの世代情報を受信する提供要求受信手段と、提供要求受信手段によって受信した推定利用範囲及び世代情報と最新地図データ記憶手段に記憶された最新地図データの世代情報とに基づき、推定利用範囲における地図取得装置の地図データよりも世代が新しい最新地図データのみを地図取得装置へ送信する送信手段とを設けることにより、地図取得装置から受信した推定利用範囲における最新地図データを当該地図取得装置へ送信し、地図データを自動的に部分更新させることができる。
さらに本発明においては、地図が所定の大きさでなる複数の領域に分割された地図データを保有する地図取得装置における地図の推定利用範囲及び当該推定利用範囲における各地図データの世代を表す世代情報を受信する提供要求受信ステップと、提供要求受信ステップによって受信した推定利用範囲及び世代情報と最新地図データ記憶手段に記憶されている最新地図データの世代情報とに基づき、推定利用範囲における地図取得装置の地図データよりも世代が新しい最新地図データのみを地図取得装置へ送信する送信ステップとを設けることにより、地図取得装置から受信した推定利用範囲における最新地図データを当該地図取得装置へ送信し、地図データを自動的に部分更新させることができる。
【手続補正７】
【補正対象書類名】明細書
【補正対象項目名】００１５
【補正方法】変更
【補正の内容】
【００１５】
さらに本発明においては、地図表示装置と地図提供装置とによって構成される地図更新システムにおいて、地図表示装置は、地図の全範囲を所定の大きさでなる複数の領域に分割した地図データを記憶する地図データ記憶手段と、任意に選定された領域を推定利用範囲として設定する推定利用範囲設定手段と、推定利用範囲設定手段によって設定された推定利用範囲の更新地図データを地図提供装置から取得する更新地図データ取得手段と、更新地図データ取得手段によって取得した更新地図データに対応し地図データ記憶手段に記憶されている地図データを更新する地図データ更新手段と、更新した地図データを表示する表示手段とを設け、地図提供装置は、最新の地図が所定の大きさでなる複数の領域に分割された最新地図データと当該最新地図データの世代を表す世代情報とを記憶する最新地図データ記憶手段と、地図表示装置から推定利用範囲及び当該推定利用範囲における各地図データの世代情報を受信する提供要求受信手段と、提供要求受信手段によって受信した推定利用範囲及び世代情報と最新地図データ記憶手段に記憶された最新地図データの世代情報とに基づき、推定利用範囲における地図取得装置の地図データよりも世代が新しい最新地図データのみを更新地図データとして地図表示装置へ送信する送信手段とを設けることにより、地図表示装置から受信しユーザの利用頻度が高い推定利用範囲における最新地図データを更新地図データとして地図表示装置へ送信し、当該地図表示装置の地図データを自動的に部分更新させることができる。
【手続補正８】
【補正対象書類名】明細書
【補正対象項目名】００４９
【補正方法】変更
【補正の内容】
【００４９】
ところで、現表示地図ＤＡ（図５）において太破線で囲まれた領域地図ＤＡ１〜領域地図ＤＡ４によって構成される世代混在範囲ＳＱでは、推定利用範囲ＳＥの領域地図ＤＡ２と、当該推定利用範囲ＳＥ外の領域地図ＤＡ１、領域地図ＤＡ３、領域地図ＤＡ４とが含まれており、次に当該世代混在範囲ＳＱに着目して以下説明する。
【手続補正９】
【補正対象書類名】明細書
【補正対象項目名】００８８
【補正方法】変更
【補正の内容】
【００８８】
【発明の効果】
上述のように本発明によれば、任意に選定された地点を基準としてユーザの利用頻度が高い推定提供範囲における更新領域地図データの提供を受けて自動的に部分更新することができるので、ユーザに対して部分更新すべき推定利用範囲を選択する手間をかけさせることなく利用頻度の高い範囲だけを自動的に部分更新することができ、かくして部分更新する地図情報の領域を自動的かつ適切に選択して更新し得る地図表示装置及び地図更新方法並びにナビゲーション装置を実現できる。
【手続補正１０】
【補正対象書類名】明細書
【補正対象項目名】００８９
【補正方法】変更
【補正の内容】
【００８９】
また本発明によれば、地図取得装置から受信した推定利用範囲における最新地図データを当該地図取得装置へ送信し、地図データを自動的に部分更新させることができ、かくして地図取得装置で部分更新する地図情報の領域を自動的かつ適切に選択して更新させ得る地図提供装置及び地図提供方法を実現できる。
【手続補正１１】
【補正対象書類名】明細書
【補正対象項目名】００９０
【補正方法】変更
【補正の内容】
【００９０】
さらに本発明によれば、地図表示装置から受信しユーザの利用頻度が高い推定利用範囲における最新地図データを更新地図データとして地図表示装置へ送信し、当該地図表示装置の地図データを自動的に部分更新させることができ、かくして部分更新する地図情報の領域を自動的かつ適切に選択して更新し得る地図更新システムを実現できる。